(57)【要約】【課題】バッテリの寸法のバラツキを考慮した支持部材及びバッテリモジュールを提供すると共に、支持部材の応力集中を緩和する。【解決手段】複数の支持ケース１２１が連結されており、隣り合う一方の支持ケース１２１のスライド部１２７が、他方の支持ケース１２１の本体部１２２にスライド可能に収容されており、一方の支持ケース１２１のスライド部１２７の一部を他方の支持ケース１２１の本体部１２２から引き出すことにより、一方の支持ケース１２１と他方の支持ケース１２１との間隔が広がり、一方の支持ケース１２１のスライド部１２７の少なくとも一部を他方の支持ケース１２１の本体部１２２に収容することにより、一方の支持ケース１２２と他方の支持ケース１２２との間隔が狭まる。【選択図】図８
2020087607.tif 000002
【特許請求の範囲】
【請求項１】
複数のセルを配列して構成されたバッテリに取り付ける支持部材であって、
前記複数のセルを電気的に接続する導電性部材を搭載可能な搭載部と、前記搭載部が接続された本体部と、前記本体部に接続されたスライド部と、を有する複数の支持ケースを備え、
前記複数の支持ケースが連結されており、
前記複数の支持ケースのうちの隣り合う一方の支持ケースの前記スライド部が、前記複数の支持ケースのうちの隣り合う他方の支持ケースの前記本体部にスライド可能に収容されており、
前記一方の支持ケースの前記スライド部の一部を前記他方の支持ケースの前記本体部から引き出すことにより、前記一方の支持ケースと前記他方の支持ケースとの間隔が広がり、
前記一方の支持ケースの前記スライド部の少なくとも一部を前記他方の支持ケースの前記本体部に収容することにより、前記一方の支持ケースと前記他方の支持ケースとの間隔が狭まることを特徴とする支持部材。
【請求項２】
前記複数の支持ケースの前記本体部と前記スライド部とがヒンジを介して接続されており、
前記一方の支持ケースの前記本体部に対する前記スライド部の角度が変化することにより、前記一方の支持ケースに対する前記他方の支持ケースの角度が変化することを特徴とする請求項１に記載の支持部材。
【請求項３】
前記導電性部材が、前記複数の支持ケースの並び方向に向かって移動可能に前記搭載部に搭載されていることを特徴とする請求項１又は２に記載の支持部材。
【請求項４】
前記複数の支持ケースのそれぞれに前記導電性部材を複数搭載可能であることを特徴とする請求項１から３の何れか一項に記載の支持部材。
【請求項５】
複数のセルを配列して構成されたバッテリと、
前記複数のセルを電気的に接続する導電性部材が搭載された搭載部と、前記搭載部が接続された本体部と、前記本体部に接続されたスライド部と、が設けられた複数の支持ケースを有し、前記バッテリに取り付けられた支持部材と、
を備え、
前記複数の支持ケースが連結されており、
前記複数の支持ケースのうちの隣り合う一方の支持ケースの前記スライド部が、前記複数の支持ケースのうちの隣り合う他方の支持ケースの前記本体部にスライド可能に収容されており、
前記一方の支持ケースの前記スライド部の一部を前記他方の支持ケースの前記本体部から引き出すことにより、前記一方の支持ケースと前記他方の支持ケースとの間隔が広がり、
前記一方の支持ケースの前記スライド部の少なくとも一部を前記他方の支持ケースの前記本体部に収容することにより、前記一方の支持ケースと前記他方の支持ケースとの間隔が狭まることを特徴とするバッテリモジュール。
【請求項６】
前記複数の支持ケースの前記本体部と前記スライド部とがヒンジを介して接続されており、
前記一方の支持ケースの前記本体部に対する前記スライド部の角度が変化することにより、前記一方の支持ケースに対する前記他方の支持ケースの角度が変化することを特徴とする請求項５に記載のバッテリモジュール。
【請求項７】
撓み部を有し、前記支持部材に支持されたフレキシブルプリント配線板を備え、
前記撓み部が前記ヒンジの直上に位置していることを特徴とする請求項６に記載のバッテリモジュール。
【請求項８】
前記導電性部材が、前記複数の支持ケースの並び方向に向かって移動可能に前記搭載部に搭載されていることを特徴とする請求項５から７の何れか一項に記載のバッテリモジュール。
【請求項９】
前記複数の支持ケースのそれぞれに前記導電性部材が複数搭載されていることを特徴とする請求項５から８の何れか一項に記載のバッテリモジュール。
【発明の詳細な説明】
【技術分野】
【０００１】
本発明は、支持部材及びバッテリモジュールに関する。
【背景技術】
【０００２】
電気自動車などに搭載されるバッテリにおいては、バッテリの電圧を監視するために、電圧監視装置が設けられている。この電圧監視装置は、バッテリに取り付けられる電圧監視ユニットを備えている。そして、この電圧監視ユニットは、バッテリにおける各電極に電気的に接続される複数の配線を有するフレキシブルプリント配線板を備えている。バッテリは、複数のセルから構成されており、複数のセル間はバスバと呼ばれる金属部材によって電気的に接続されている。フレキシブルプリント配線板及びバスバは、カバーによって支持されている。カバーは、バッテリに取り付けられる。
【０００３】
セルの厚みには製造公差が存在する。また、複数のセルを積層してバッテリを組み立てる場合、組み立て公差が発生する。したがって、バッテリの寸法（セルの積層方向の長さ）にバラツキが発生する。バッテリの寸法のバラツキは、セルの積総数に応じて大きくなる。従来技術では、カバーが一体的であるため、カバーをバッテリに取り付けることが困難になる場合がある。また、セルの発熱によりセルが膨張すると、バッテリにカバーを取り付けた後に、カバーに応力が集中し、カバーが損傷する可能性がある。更に、カバーに振動が発生した際、カバーの応力集中を緩和することも望まれている。
【先行技術文献】
【特許文献】
【０００４】
【特許文献１】特許第５７０２９４７号公報
【非特許文献】
【０００５】
【非特許文献１】平野優子，辻朋郁，矢板久佳，平井宏樹、「セル数変更可能な高圧電池配線モジュール」、２０１５年１月・ＳＥＩテクニカルレビュー・第１８６号、ｐ．４１−４４
【発明の概要】
【発明が解決しようとする課題】
【０００６】
本発明の目的は、バッテリの寸法のバラツキを考慮した支持部材及びバッテリモジュールを提供すると共に、支持部材の応力集中を緩和することを目的とする。
【課題を解決するための手段】
【０００７】
本発明は、上記課題を解決するために以下の手段を採用した。
【０００８】
本発明の支持部材は、
複数のセルを配列して構成されたバッテリに取り付ける支持部材であって、
前記複数のセルを電気的に接続する導電性部材を搭載可能な搭載部と、前記搭載部が接続された本体部と、前記本体部に接続されたスライド部と、を有する複数の支持ケースを備え、
前記複数の支持ケースが連結されており、
前記複数の支持ケースのうちの隣り合う一方の支持ケースの前記スライド部が、前記複数の支持ケースのうちの隣り合う他方の支持ケースの前記本体部にスライド可能に収容されており、
前記一方の支持ケースの前記スライド部の一部を前記他方の支持ケースの前記本体部か
ら引き出すことにより、前記一方の支持ケースと前記他方の支持ケースとの間隔が広がり、
前記一方の支持ケースの前記スライド部の少なくとも一部を前記他方の支持ケースの前記本体部に収容することにより、前記一方の支持ケースと前記他方の支持ケースとの間隔が狭まることを特徴とする。
【０００９】
また、本発明のバッテリモジュールは、
複数のセルを配列して構成されたバッテリと、
前記複数のセルを電気的に接続する導電性部材が搭載された搭載部と、前記搭載部が接続された本体部と、前記本体部に接続されたスライド部と、が設けられた複数の支持ケースを有し、前記バッテリに取り付けられた支持部材と、
を備え、
前記複数の支持ケースが連結されており、
前記複数の支持ケースのうちの隣り合う一方の支持ケースの前記スライド部が、前記複数の支持ケースのうちの隣り合う他方の支持ケースの前記本体部にスライド可能に収容されており、
前記一方の支持ケースの前記スライド部の一部を前記他方の支持ケースの前記本体部から引き出すことにより、前記一方の支持ケースと前記他方の支持ケースとの間隔が広がり、
前記一方の支持ケースの前記スライド部の少なくとも一部を前記他方の支持ケースの前記本体部に収容することにより、前記一方の支持ケースと前記他方の支持ケースとの間隔が狭まることを特徴とする。
【００１０】
これらの発明においては、複数の支持ケースが連結されており、複数の支持ケースのうちの隣り合う一方の支持ケースのスライド部が、複数の支持ケースのうちの隣り合う他方の支持ケースの本体部にスライド可能に収容されている。一方の支持ケースのスライド部の一部を他方の支持ケースの本体部から引き出すことにより、一方の支持ケースと他方の支持ケースとの間隔が広がる。また、一方の支持ケースのスライド部の少なくとも一部を他方の支持ケースの本体部に収容することにより、一方の支持ケースと他方の支持ケースとの間隔が狭まる。一方の支持ケースと他方の支持ケースとの間隔が広がることで、支持部材の長さが長くなり、一方の支持ケースと他方の支持ケースとの間隔が狭まることで、支持部材の長さが短くなる。このように、一方の支持ケース１２１のスライド部の一部を他方の支持ケースの本体部から引き出したり、一方の支持ケースのスライド部の少なくとも一部を他方の支持ケースの本体部に収容したりすることにより、支持部材の長さを調整することができる。したがって、バッテリに支持部材を取り付ける際、バッテリの寸法のバラツキに応じて支持部材の長さを調整することできる。このため、バッテリの寸法のバラツキを考慮して、バッテリに支持部材１２０を取り付けることができる。また、バッテリに支持部材を取り付けた後にセルの膨張やバッテリの振動が発生した際、支持部材が伸縮することで、支持部材の応力集中を緩和することができる。
【００１１】
本発明の支持部材及び本発明のバッテリモジュールにおいて、前記複数の支持ケースの前記本体部と前記スライド部とがヒンジを介して接続されており、前記一方の支持ケースの前記本体部に対する前記スライド部の角度が変化することにより、前記一方の支持ケースに対する前記他方の支持ケースの角度が変化してもよい。
【００１２】
これにより、支持部材を屈曲又は湾曲させながら、バッテリに支持部材を取り付けることができ、バッテリに対して支持部材を容易に取り付けることができる。
【００１３】
本発明の支持部材及び本発明のバッテリモジュールにおいて、導電性部材が、複数の支持ケースの並び方向に向かって移動可能に搭載部に搭載されてもよい。
【００１４】
これにより、バッテリに支持部材を取り付けた状態で、導電性部材を複数の支持ケースの並び方向に動かすことができるため、各セルの厚みの製造公差に応じて導電性部材を複数のセルの配列方向に動かすことができる。
【００１５】
本発明の支持部材及び本発明のバッテリモジュールにおいて、複数の支持ケースのそれぞれに導電性部材を複数搭載可能であってもよい。
【００１６】
これにより、複数の導電性部材が搭載された支持ケースを用いて支持部材を伸縮することができる。
【００１７】
本発明のバッテリモジュールは、平坦部及び撓み部を有し、前記支持部材に支持されたフレキシブルプリント配線板を備え、前記撓み部が前記ヒンジの直上に位置していてもよい。
【００１８】
これにより、フレキシブルプリント配線板の平坦部における隆起の発生を抑止することができる。
【発明の効果】
【００１９】
本発明によれば、バッテリの寸法のバラツキを考慮した支持部材及びバッテリモジュールにおいて、支持部材の応力集中を緩和することができる。
【図面の簡単な説明】
【００２０】
【図１】図１は、実施形態に係る電圧装置及びバッテリモジュールの平面図である。
【図２】図２は、実施形態に係るバッテリモジュールの斜視図である。
【図３】図３は、実施形態に係るバッテリモジュールの側面図である。
【図４】図４は、実施形態に係る支持部材の斜視図である。
【図５】図５は、実施形態に係る支持ケースの平面図である。
【図６】図６は、実施形態に係る支持ケースの平面図である。
【図７】図７は、実施形態に係る支持部材の斜視図である。
【図８】図８は、実施形態に係る支持部材の平面図である。
【図９】図９は、実施形態に係る支持部材の平面図である。
【図１０】図１０は、実施形態に係る支持部材の斜視図である。
【図１１】図１１は、実施形態に係るバッテリモジュールの断面図である。
【発明を実施するための形態】
【００２１】
以下に図面を参照して、この発明を実施するための形態を、例示的に詳しく説明する。ただし、実施形態に記載されている構成部品の寸法、材質、形状、その他の相対位置などは、特に特定的な記載がない限りは、この発明の範囲をそれらのみに限定する趣旨のものではない。
【００２２】
図１〜図１１を参照して、実施形態に係る監視装置、バッテリモジュール及び支持部材について説明する。
＜監視装置及びバッテリモジュール＞
図１〜図３を参照して、実施形態に係る監視装置１０及びバッテリモジュール１００について説明する。図１は、実施形態に係る監視装置１０及びバッテリモジュール１００の平面図である。図２は、実施形態に係るバッテリモジュール１００の構成を示す斜視図である。図３は、実施形態に係る監視装置１０及びバッテリモジュール１００の側面図である。監視装置１０は、電圧監視装置本体２０と、温度測定装置本体３０とを備えている。図１に示す例では、電圧監視装置本体２０と、温度測定装置本体３０とが一体化されてい
る。バッテリモジュール１００は、バッテリ１１０と、支持部材１２０と、複数のバスバ１４１、１４２と、フレキシブルプリント配線板（以下、ＦＰＣと称する）１５０とを備える。また、バッテリモジュール１００は、監視装置１０に接続されるコネクタ１７０を備える。監視装置１０は、バッテリ１１０の電圧を監視すると共に、バッテリ１１０の温度を測定する。支持部材１２０は、バスバ１４１、１４２及びＦＰＣ１５０を支持する。バッテリ１１０に支持部材１２０を取り付ける際、バッテリ１１０上に支持部材１２０を配置する。支持部材１２０は、支持部材１２０をバッテリ１１０に取り付けるための取り付け部材を有している。バッテリ１１０は、複数のセル１１１を配列（積層）して構成されている。図１〜図３に示すバッテリモジュール１００の構成例では、セル１１１の長手方向と直交する方向（以下、セル１１１の配列方向と称する）に向かって複数のセル１１１が並んで配置されている。
【００２３】
複数のセル１１１のそれぞれは、正極端子１１２及び負極端子１１３を備える。正極端子１１２及び負極端子１１３は、ボルト形状を有しており、セル１１１の上面から突出している。隣り合うセル１１１において、一方のセル１１１の正極端子１１２と他方のセル１１１の負極端子１１３とがセル１１１の配列方向に並んでいる。したがって、バッテリ１１０では、セル１１１の配列方向に向かって複数の正極端子１１２と複数の負極端子１１３とが交互に並んでいる。隣り合うセル１１１の正極端子１１２と負極端子１１３とがバスバ１４１によって電気的に接続されている。したがって、複数のセル１１１は、隣り合う正極端子１１２と負極端子１１３とがバスバ１４１によって電気的に接続されることで直列に接続されるように構成される。バスバ１４１、１４２は、導電性部材である。導電性部材として板状金属が例示される。セル１１１の個数は、図１〜図３に示すバッテリモジュール１００の構成例に限定されず、例えば、バッテリ１１０の出力電圧に応じて決定してもよい。バスバ１４１、１４２は、長孔１４３を有している。バスバ１４１、１４２を、バッテリ１１０に取り付ける際、バスバ１４１、１４２の長孔１４３に正極端子１１２、負極端子１１３を挿通する。なお、長孔１４３に限定されず、バスバ１４１、１４２は、丸孔を有してもよい。バスバ１４１、１４２の丸孔に正極端子１１２、負極端子１１３を挿通してもよい。
【００２４】
ＦＰＣ１５０は、柔軟性を有するフィルムと、複数の配線とを備えている。複数の配線は、例えば、銅箔などにより構成される。複数の配線のうちの一部を電圧監視用配線に用いてもよいし、複数の配線のうちの他の一部を温度測定用配線に用いてもよい。この場合、電圧監視用配線及び温度測定用配線がコネクタ１７０に接続される。
【００２５】
＜支持部材＞
図４を参照して、実施形態に係る支持部材１２０について説明する。図４は、実施形態に係る支持部材１２０の斜視図である。支持部材１２０は、複数の支持ケース（筺体）１２１から構成される。複数の支持ケース１２１を相互に連結することで、複数の支持ケース１２１を繋ぐことができる。図４の（Ａ）は、複数の支持ケース１２１を連結する前の状態を示しており、図４の（Ｂ）は、複数の支持ケース１２１を連結した後の状態を示している。図４に示すように、複数の支持ケース１２１Ａは同一形状であり、支持ケース１２１Ｂの形状は、支持ケース１２１Ａ、１２１Ｃの形状と異なり、支持ケース１２１Ｃの形状は、支持ケース１２１Ａ、１２１Ｂの形状と異なる。
【００２６】
図５及び図６を参照して、実施形態に係る支持ケース１２１について説明する。図５及び図６は、実施形態に係る支持ケース１２１Ａの平面図である。支持ケース１２１Ａには、複数のバスバ１４１が搭載される。支持ケース１２１Ａによって複数のバスバ１４１が支持されている。支持ケース１２１Ａは、本体部１２２と、本体部１２２に接続された複数の搭載部１２３とを有する。複数の搭載部１２３のそれぞれに一つのバスバ１４１が搭載可能である。図５は、支持ケース１２１Ａに複数のバスバ１４１を搭載する前の状態を
示しており、図６は、支持ケース１２１Ａに複数のバスバ１４１を搭載した後の状態を示している。また、支持ケース１２１Ａは、本体部１２２と、本体部１２２に接続された一つの搭載部１２３とを有してもよい。この場合、一つの搭載部１２３に複数のバスバ１４１を搭載してもよい。なお、支持ケース１２１Ｂ、１２１Ｂは、支持ケース１２１Ａと同様に、本体部１２２と、本体部１２２に接続された複数の搭載部１２３とを有する。支持ケース１２１Ｂ、１２１Ｃには、支持ケース１２１Ａと同様に、複数のバスバ１４１が搭載される。支持ケース１２１Ｂ、１２１Ｃのそれぞれには、一つのバスバ１４２が搭載される。また、支持ケース１２１Ｂ、１２１Ｃは、本体部１２２と、本体部１２２に接続された一つの搭載部１２３とを有してもよい。この場合、一つの搭載部１２３に複数のバスバ１４１と一つのバスバ１４２を搭載してもよい。
【００２７】
図６に示すように、１つの支持ケース１２１Ａに対して６つのバスバ１４１が搭載されているが、支持ケース１２１Ａに搭載されるバスバ１４１の個数は限定されない。支持ケース１２１Ａには少なくとも２つのバスバ１４１が搭載される。図６に示す構成例では、３つのバスバ１４１Ａが連続して並ぶようにして支持ケース１２１Ａに搭載され、３つのバスバ１４１Ｂが連続して並ぶようにして支持ケース１２１Ａに搭載されている。本体部１２２の上面１２２Ａの法線方向から見て、３つのバスバ１４１Ａと３つのバスバ１４１Ｂとの間に、本体部１２２が挟まれるようにして配置されている。このように、支持ケース１２１Ａに搭載された複数のバスバ１４１のうちの一部と他の一部とが、本体部１２２を隔てて配置されている。搭載部１２３内に押さえ部１２４及び押圧部１２５が設けられている。搭載部１２３にバスバ１４１を搭載すると、押さえ部１２４がバスバ１４１の上面に当接し、押圧部１２５がバスバ１４１の側面及び下面に当接する。押圧部１２５は可撓性を有している。バスバ１４１が移動可能な程度に、押圧部１２５がバスバ１４１を本体部１２２及び押さえ部１２４に向けて押圧する。このように、バスバ１４１を平行方向に動かすことができる状態で、バスバ１４１が搭載部１２３に搭載されている。バスバ１４１と同様に、バスバ１４２を平行方向に動かすことができる状態で、バスバ１４２が搭載部１２３に搭載されている。なお、複数の支持ケース１２１を連結させた場合、バスバ１４１、１４２が、複数の支持ケース１２１の並び方向に向かって移動可能に支持ケース１２１に搭載される。また、バッテリ１１０に支持部材１２０を取り付けた場合、バッテリ１１０に支持部材１２０を取り付けた状態で、バスバ１４１、１４２をセル１１１の配列方向に向かって動かすことができる。
【００２８】
支持ケース１２１は、ヒンジ１２６及びスライド部１２７を有する。スライド部１２７は、ヒンジ１２６を介して本体部１２２に接続されている。複数の支持ケース１２１が連結されており、複数の支持ケース１２１のうちの隣り合う一方の支持ケース１２１のスライド部１２７が、複数の支持ケース１２１のうちの隣り合う他方の支持ケース１２１の本体部１２２にスライド可能に収納されている。図７は、複数の支持ケース１２１を連結した場合において、支持ケース１２１の本体部１２２の下面１２２Ｂ側からの支持部材１２０の斜視図である。図７に示すように、一方の支持ケース１２１（図７の左側の支持ケース１２１）のスライド部１２７が、他方の支持ケース１２１（図７の右側の支持ケース１２１）の本体部１２２に収納されている。一方の支持ケース１２１のスライド部１２７が、他方の支持ケース１２１の本体部１２２に収納されると、一方の支持ケース１２１のスライド部１２７に形成された突起部１２８が、他方の支持ケース１２１の本体部１２２の下面１２２Ｂに形成された長孔１２９に嵌め込まれる。このように、一方の支持ケース１２１の突起部１２８が、他方の支持ケース１２１の長孔１２９に嵌め込まれることにより、複数の支持ケース１２１が連結された状態（以下、連結状態と表記する）が維持される。
【００２９】
連結状態において、一方の支持ケース１２１を他方の支持ケース１２１から離れる方向に引くと、一方の支持ケース１２１の突起部１２８が他方の支持ケース１２１の長孔１２
９をスライド移動し、長孔１２９の内周面に当接する。この場合、一方の支持ケース１２１のスライド部１２７が他方の支持ケース１２１の本体部１２２内をスライドし、一方の支持ケース１２１のスライド部１２７の一部が、他方の支持ケース１２１の本体部１２２から引き出された状態になる。図８は、実施形態に係る支持部材１２０の平面図である。図８に示すように、連結状態において、一方の支持ケース１２１（図８の左側の支持ケース１２１）を他方の支持ケース１２１（図８の右側の支持ケース１２１）から離れる方向に引く。そうすると、一方の支持ケース１２１のスライド部１２７の一部が、他方の支持ケース１２１の本体部１２２から引き出される。これにより、一方の支持ケース１２１と他方の支持ケース１２１との間隔（距離）が広がり、一方の支持ケース１２１のスライド部１２７の全部が他方の支持ケース１２１の本体部１２２に収容された状態よりも、支持部材１２０の長さが長くなる。他方の支持ケース１２１の本体部１２２から一方の支持ケース１２１のスライド部１２７の引き出された部分の長さに応じて、支持部材１２０の長さが長くなる。また、一方の支持ケース１２１のスライド部１２７の一部が他方の支持ケース１２１の本体部１２２から引き出された状態において、一方の支持ケース１２１のスライド部１２７の少なくとも一部を他方の支持ケース１２１の本体部１２２に収容することもできる。この場合、一方の支持ケース１２１と他方の支持ケース１２１との間隔（距離）が狭くなり、一方の支持ケース１２１のスライド部１２７の一部が他方の支持ケース１２１の本体部１２２から引き出された状態よりも、支持部材１２０の長さが短くなる。
【００３０】
図９は、実施形態に係る支持部材１２０の平面図である。図９の（Ａ）は、一方の支持ケース１２１のスライド部１２７の一部が、他方の支持ケース１２１の本体部１２２から引き出された状態の支持部材１２０を示す。図９の（Ｂ）は、一方の支持ケース１２１のスライド部１２７の全部が、他方の支持ケース１２１の本体部１２２に収容された状態の支持部材１２０を示す。図９の（Ａ）に示す支持部材１２０の長さが、図９の（Ｂ）に示す支持部材１２０の長さよりも長い。このように、一方の支持ケース１２１のスライド部１２７の一部を他方の支持ケース１２１の本体部１２２から引き出したり、一方の支持ケース１２１のスライド部１２７の全部又は一部を他方の支持ケース１２１の本体部１２２に収容したりすることにより、支持部材１２０の長さを調整することができる。したがって、支持部材１２０の長手方向に支持部材１２０が伸縮する。なお、支持ケース１２１Ｂ、１２１Ｃについても、支持ケース１２１Ａと同様の構成を有する。支持ケース１２１Ｂのスライド部１２７の全部又は一部を支持ケース１２１Ａの本体部１２２に収容することが可能である。また、支持ケース１２１Ｂのスライド部１２７の一部を支持ケース１２１Ａの本体部１２２から引き出すことが可能である。支持ケース１２１Ａのスライド部１２７の全部又は一部を支持ケース１２１Ｃの本体部１２２に収容することが可能である。また、支持ケース１２１Ａのスライド部１２７の一部を支持ケース１２１Ｃの本体部１２２から引き出すことが可能である。
【００３１】
バッテリ１１０の長手方向、すなわち、複数のセル１１１の配列方向（積層方向）においてバッテリ１１０の寸法のバラツキが発生する。バッテリモジュール１００では、バッテリ１１０に支持部材１２０を取り付ける際、バッテリ１１０の寸法のバラツキに応じて支持部材１２０の長さを調整することできる。このため、バッテリ１１０の寸法のバラツキを考慮して、バッテリ１１０に支持部材１２０を取り付けることができる。すなわち、バッテリ１１０に支持部材１２０を取り付ける際、支持部材１２０を伸縮することにより、バッテリ１１０の寸法のバラツキを吸収することができる。また、バッテリ１１０に支持部材１２０を取り付けた後にセル１１１の膨張やバッテリ１１０の振動が発生した際、支持部材１２０が伸縮することで、支持部材１２０の応力集中を緩和することができる。
【００３２】
バスバ１４１、１４２を平行方向に動かすことができる状態で、支持部材１２０に搭載されている。したがって、バスバ１４１、１４２が、複数の支持ケース１２１の並び方向に向かって移動可能に搭載部１２３に搭載される。バッテリ１１０に支持部材１２０を取
り付けた場合、バッテリ１１０に支持部材１２０を取り付けた状態で、バスバ１４１、１４２をセル１１１の配列方向に動かすことができる。そのため、バッテリ１１０に支持部材１２０を取り付けた後、バッテリ１１０にバスバ１４１、１４２を取り付ける際、各セル１１１の厚みの製造公差に応じてバスバ１４１、１４２を複数のセル１１１の配列方向に動かすことができる。したがって、各セル１１１の厚みの製造公差を考慮して、バッテリ１１０にバスバ１４１、１４２を取り付けることができる。このように、バッテリモジュール１００によれば、各セル１１１の厚みの製造公差を吸収することができる。また、バスバ１４１、１４２は、支持部材１２０に固定されていないため、セル１１１の膨張やバッテリ１１０の振動が発生した際における支持部材１２０の応力集中を緩和することができる。
【００３３】
図１０は、実施形態に係る支持部材１２０の斜視図である。図１０に示すように、支持ケース１２１の本体部１２２とスライド部１２７との間に、屈曲性を有するヒンジ１２６が設けられている。ヒンジ１２６は、本体部１２２とスライド部１２７を繋いでいる。本体部１２２又はスライド部１２７に外力が加わった場合、ヒンジ１２６が屈曲することにより、本体部１２２に対するスライド部１２７の角度が変化する。一方の支持ケース１２１のスライド部１２７が他方の支持ケース１２１の本体部１２２に収容されている場合、一方の支持ケース１２１又は他方の支持ケース１２１に外力が加わると、一方の支持ケース１２１に対する他方の支持ケース１２１の角度が変化する。これにより、支持部材１２０を屈曲又は湾曲させながら、バッテリ１１０に支持部材１２０を取り付けることができ、バッテリ１１０に対して支持部材１２０を容易に取り付けることができる。そのため、バッテリ１１０に支持部材１２０を取り付ける際の時間を短縮することができる。また、セル１１１の膨張やバッテリ１１０の振動が発生した際に、支持部材１２０が屈曲又は湾曲することにより、支持部材１２０の応力集中を緩和することができる。
【００３４】
図１１は、実施形態に係るバッテリモジュール１００の断面図である。図１１には、バッテリモジュール１００の断面の一部が示されている。図１１に示すように、ＦＰＣ１５０を部分的に湾曲させて、支持部材１２０にＦＰＣ１５０を載置してもよい。ＦＰＣ１５０は、平坦部１５１及び撓み部１５２を有している。ＦＰＣ１５０の撓み部１５２は、ＦＰＣ１５０の平坦部１５１に対して撓んでいる。支持部材１２０を伸ばしたときに、ＦＰＣ１５０の撓み部１５２の撓みが小さくなることで、支持部材１２０の伸長に対してＦＰＣ１５０が追従することができる。したがって、支持部材１２０を伸ばした場合であっても、支持部材１２０のサイズに対してＦＰＣ１５０のサイズが合う。また、ＦＰＣ１５０の撓み部１５２が、支持部材１２０のヒンジ１２６の直上に位置するように、支持部材１２０にＦＰＣ１５０を載置してもよい。ヒンジ１２６は、本体部１２２よりも上方に突出しているため、ＦＰＣ１５０の平坦部１５１が支持部材１２０のヒンジ１２６の直上に位置する場合、ＦＰＣ１５０の平坦部１５１が隆起する可能性がある。ＦＰＣ１５０の撓み部１５２が、支持部材１２０のヒンジ１２６の直上に位置することで、ＦＰＣ１５０の平坦部１５１における隆起の発生を抑止することができる。
【符号の説明】
【００３５】
１０  監視装置
２０  電圧監視装置本体
３０  温度測定装置本体
１００  バッテリモジュール
１１０  バッテリ
１１１  セル
１１２  正極端子
１１３  負極端子
１２０  支持部材
１２１、１２１Ａ、１２１Ｂ、１２１Ｃ  支持ケース
１２２  本体部
１２３  搭載部
１２４  押さえ部
１２５  押圧部
１２６  ヒンジ
１２７  スライド部
１２８  突起部
１２９、１４３  長孔
１４１、１４１Ａ、１４１Ｂ、１４２  バスバ
１５０  ＦＰＣ
１５１  平坦部
１５２  撓み部
１７０  コネクタ
【図１】
2020087607.tif 000003
【図２】
2020087607.tif 000004
【図３】
2020087607.tif 000005
【図４】
2020087607.tif 000006
【図５】
2020087607.tif 000007
【図６】
2020087607.tif 000008
【図７】
2020087607.tif 000009
【図８】
2020087607.tif 000010
【図９】
2020087607.tif 000011
【図１０】
2020087607.tif 000012
【図１１】
2020087607.tif 000013